(57)【要約】【課題】機種の異なる昇降機の稼働・診断データの格納又は取り出しに際して、機種毎の変換プログラムの開発と労力及び費用の低減を図ること。【解決手段】昇降機の診断端末から得た稼働・診断データを収集し管理するデータ収集・管理装置において、異なる機種の昇降機の診断端末Ｔ１，Ｔ２からそれぞれ出力される異なるデータフォーマットの稼働・診断データを定義するそれぞれの定義情報をデータベース上に設け、診断端末に対応した定義情報Ｉ１，Ｉ２を選択し、選択した定義情報に基づいて昇降機の機種毎に異なる稼働・診断データＤＣ１，ＤＣ２を解析処理しデータベースＤＢに格納する構成とする。また、外部装置に稼働・診断データを出力する場合、データベースに格納された稼働・診断データを定義情報Ｏ１，Ｏ２に基づいて生成処理し出力する構成とする。また、定義情報は、データ項目名、データ登録の有無、データの長さ、データ形式、格納先、解析処理の計算式、から構成されるものである。【選択図】図１
2005231850.tif 000002
【特許請求の範囲】
【請求項１】
昇降機の診断端末から得た稼働・診断データを収集し管理するデータ収集・管理装置において、
異なる機種の昇降機の診断端末からそれぞれ出力される異なるデータフォーマットの稼働・診断データを定義するそれぞれの定義情報をデータベース上に設け、
前記診断端末に対応した定義情報を選択し、
前記選択した定義情報に基づいて昇降機の機種毎に異なる稼働・診断データを解析処理しデータベースに格納する
ことを特徴とするデータ収集・管理装置。
【請求項２】
請求項１において、
外部装置に前記稼働・診断データを出力する場合、前記データベースに格納された稼働・診断データを前記定義情報に基づいて生成処理し出力する
ことを特徴とするデータ収集・管理装置。
【請求項３】
請求項１又は２において、
前記定義情報は、前記稼働・診断データにおける、データ項目名、データ登録の有無、データの長さ、データ形式、格納先、解析処理の計算式、から構成される
ことを特徴とするデータ収集・管理装置。
【請求項４】
請求項３において、
前記解析処理の計算式によって、前記データベースに格納される稼働・診断データは異なる機種の昇降機の間で同一の基準単位となる
ことを特徴とするデータ収集・管理装置。
【請求項５】
請求項１，２，３又は４において、
前記診断端末からの稼働・診断データは通信回線を介して収集し管理される
ことを特徴とするデータ収集・管理装置。
【発明の詳細な説明】
【技術分野】
【０００１】
本発明は、昇降機の稼動・診断情報を取得する昇降機診断端末から通信回線を介して稼動・診断情報を収集し管理するデータ収集・管理装置に関する。
【背景技術】
【０００２】
昇降機の稼動・診断情報を計測する診断端末と、通信回線を介して稼動・診断データを収集するデータ収集・管理装置と、からなる昇降機における従来の遠隔診断装置では、診断端末から得られた稼動・診断データを顧客に報告書として提出するとともに、昇降機の保守作業の参考情報として用いている。これによって、遠隔で昇降機の診断を行うサービスの提供と、昇降機の保守作業の効率化を行っている（例えば、特許文献１を参照）。
【０００３】
そして、機種の異なる昇降機の稼動・診断データにおいて、診断端末から得られるデータのフォーマットが異なる場合、従来技術においては、データをデータ収集装置上で変換プログラムを介して一定のデータ形式に変換後、格納する際に、または一度格納したものを取り出し出力する際に再度、変換処理して報告書の印字装置などの他の装置への伝送を行っていた。
【特許文献１】特開２０００−２１７１６５
【発明の開示】
【発明が解決しようとする課題】
【０００４】
しかしながら、従来の昇降機遠隔診断システムにおいては、新しい機種追加に伴いデータフォーマットが従来と異なる診断端末に対して、データをデータベースに格納するためのプログラムとデータベースから取り出すためプログラムの開発が必要となり、開発期間と費用を要していた。
【０００５】
本発明の目的は、機種の異なる昇降機の稼働・診断データの格納又は取り出しに際して、種々のデータフォーマットに対応する定義情報を設けることにより、機種毎の変換プログラムの開発と労力及び費用の低減を可能とするデータ収集・管理装置を提供することにある。
【課題を解決するための手段】
【０００６】
前記課題を解決するために、本発明は次のような構成を採用する。  
昇降機の診断端末から得た稼働・診断データを収集し管理するデータ収集・管理装置において、異なる機種の昇降機の診断端末からそれぞれ出力される異なるデータフォーマットの稼働・診断データを定義するそれぞれの定義情報をデータベース上に設け、前記診断端末に対応した定義情報を選択し、前記選択した定義情報に基づいて昇降機の機種毎に異なる稼働・診断データを解析処理しデータベースに格納する構成とする。
【０００７】
また、前記データ収集・管理装置において、外部装置に前記稼働・診断データを出力する場合、前記データベースに格納された稼働・診断データを前記定義情報に基づいて生成処理し出力する構成とする。
【０００８】
また、前記データ収集・管理装置において、前記定義情報は、前記稼働・診断データにおける、データ項目名、データ登録の有無、データの長さ、データ形式、格納先、解析処理の計算式、から構成されるものである。
【０００９】
また、前記データ収集・管理装置において、前記解析処理の計算式によって、前記データベースに格納される稼働・診断データは異なる機種の昇降機の間で同一の基準単位となる構成とする。さらに、前記診断端末からの稼働・診断データは通信回線を介して収集し管理される構成とする。
【発明の効果】
【００１０】
本発明によれば、異なる昇降機の稼動・診断データを、定義情報に基づいて変換・登録、または変換・出力を行うことにより、新たなプログラム開発を不要とし、開発期間の短縮と費用の低減を実現することができる。
【発明を実施するための最良の形態】
【００１１】
本発明の実施形態に係る稼働・診断データの収集・管理装置について、図１、図２及び図３を参照しながら以下詳細に説明する。図１は本発明の実施形態に係る昇降機における稼働・診断データの収集・管理装置の全体構成を示すブロック図である。図２は診断端末Ｔ１，Ｔ２から取得されるデータフォーマットの一例を示す図である。図３は診断端末からの稼働・診断データＤＣ１，ＤＣ２を登録するための定義情報の一例を示す図である。
【００１２】
図１において、Ｓ１は昇降機における稼働・診断データの収集・管理装置であり、このデータ収集・管理装置Ｓ１は、診断端末Ｔ１，Ｔ２，Ｔｎからのデータを解析し格納処理するデータ解析・格納処理部ＩＰと、伝送ファイルとして出力するデータ出力処理部ＯＰと、昇降機の稼働・診断データを格納するデータベースＤＢと、を備えている。また、Ｔ１，Ｔ２，Ｔｎはそれぞれ異なる機種の昇降機の稼動・診断データを計測する遠隔の診断端末であり、ＤＣ１，ＤＣ２，ＤＣｎはフォーマットの異なる稼動・診断データである。
【００１３】
また、図１において、Ｉ１，Ｉ２，Ｉｎは、診断端末Ｔ１，Ｔ２，Ｔｎに対応する定義情報であり、Ｏ１，Ｏ２，Ｏｎは、データベースＤＢからファイル出力を行う際の機種別の定義情報である。また、Ｍ１は、診断端末の機種と定義情報Ｉ１，Ｉ２，Ｉｎの関連付けを格納する管理情報であり、ＤＢ１，ＤＢ２，ＤＢ３，ＤＢｎはデータベースＤＢの格納位置である。Ｆ１はデータ収集・管理装置から外部装置への伝送ファイルである。
【００１４】
図１で、診断端末で取得したデータを公衆電話回線を介してデータ収集・管理装置Ｓ１に取り込む。データ解析・格納処理部ＩＰにおいて、データベースＤＢ上の昇降機又は診断端末の管理情報Ｍ１を参照し、それぞれの昇降機又は診断端末に適した定義情報をＩ１，Ｉ２，Ｉｎを選択し、この定義情報をもとに稼働・診断データを解析・変換した後に、データベースＤＢに格納する。
【００１５】
図２で、機種の異なる昇降機の診断端末からの稼働・診断データＤＣ１，ＤＣ２において、ＤＮ１，ＤＮ２，ＤＮ３，ＤＮｎはデータ項目の種類（データ項目名）を表す。図３において、ＤＥＦ１，ＤＥＦ２は機種別の定義情報の全体構成を示しており、具体的には、データ項目名ＤＮ１，ＤＮ２，ＤＮ３、定義ファイル（定義情報を定義ファイルとして管理する）上のデータ登録有無の情報ＩＡ、定義ファイル上のデータの長さの定義ＩＬ、定義ファイル上のデータの形式の定義ＩＦ、定義ファイル上のデータのデータベース上の格納先の定義ＩＤ、定義ファイル上のデータの変換処理の定義ＩＳ、から構成される。
【００１６】
稼働・診断データが図２に示すようなデータ構造を持つデータの集合ＤＣ１，ＤＣ２の場合、定義情報は図３に示すように、データ登録の有無ＩＡ、データの長さＩＬ、データ形式ＩＦ、変換処理の計算式ＩＳ、格納先ＩＤ、の定義情報を有する。
【００１７】
ここで、データ登録の有無ＩＡにはデータベース上への登録の有無を記述する。このＩＡには、Ｔ１には存在するがＴ２の所定位置にはそれに相当するデータがない場合、例えば、図３のＤＥＦ２におけるＤＮ２を読み飛ばす場合にＩＡに無しを設定する。また、データの長さＩＬは診断端末からのデータを分割する際に使用する個々のデータの長さを指定し、データ格納処理部ＩＰではこれに従ってデータ集合ＤＣ１，ＤＣ２を個々のデータＤＮ１〜ＤＮ５に分割する。また、データ形式ＩＦは、データ長さＩＬによって切り取られたデータの形式がバイナリ形式、テキスト形式、日付、数値のいづれかであるかを記述する。また、変換処理の計算式ＩＳでは更にそのデータの単位などを変換するための計算式を記述する。このＩＳにより単位が異なるデータを同一の基準単位とすることが可能になる。また、格納先ＩＤは上述した処理が施されたデータのデータベース上の格納位置を示す。
【００１８】
ＤＥＦ２で示す定義情報（図３）を用いる図２のデータ集合ＤＣ２では、例えばデータＤＮ２は登録無しであるから、データは破棄し、長さ２の分だけ読み飛ばす。また、ＤＮ３ではデータ形式を整数値として処理し、変換処理ＩＳで指定されているように取り出したデータを１０倍してからデータベースＤＢのフィールドＤＢ３に登録を行う。
【００１９】
また、データベースに格納されているデータＤＢ１，ＤＢ２〜ＤＢｎのデータを外部の装置へ伝送する際に作成する伝送ファイルＦ１は、データ出力処理部ＯＰによって、Ｔ１，Ｔ２，Ｔｎの機種毎にデータベースの格納位置とファイル出力位置を定義している定義情報Ｏ１，Ｏ２，Ｏｎに基づいてファイルＦ１を生成する。この場合、データベースＤＢから取得される個々のデータは既に入力処理において同一の単位と変換されているため、外部装置では端末の機種を意識することなく処理を行える。
【００２０】
次に、データ解析・格納処理部ＩＰでの定義情報の使い方の例を示すと、例えば、機種名がＢ８０であるエレベーターでは、計測値の取り込み周期が３２ｍｓｅｃであるのに対して、Ｂ９５エレベーターではその周期が４０ｍｓｅｃであるとする。この場合、ドアの開時間が同じ３．２秒であった際に、診断端末上の計測値はそれぞれ１００と８０になる。一方、定義情報の変換処理ＩＳは当該機種で３２倍と４０倍としている。そして、上述の計測値をデータ解析・格納処理部ＩＰにおいて定義情報の変換処理ＩＳに従って処理が行われることで、データベースＤＢに格納される計測値は同一の基準単位となり（同一の数値１００×３２＝８０×４０）、機種を意識する必要がなくなる。
【００２１】
以上説明したように、稼働・診断データのフォーマットに依存する部分は全て定義情報として規定するため、新たなデータフォーマットを有する診断端末に対しても、管理情報Ｍ１として定義情報を追加することで足り、従来技術のように機種変更毎に変換プログラムを新たに開発する必要性は無い。また、データ解析・格納処理部ＩＰ又はデータ出力処理部ＯＰにおいては機種別のデータに対応した定義情報を使用すればよく、機種が変更しても、稼働・診断データの取り扱い方法について開発工数、費用の低減を実現できる。
【００２２】
なお、以上の説明では機種の異なる昇降機の診断端末からのデータのデータフォーマットが異なる場合を例示して説明したが、これに限らず、診断端末のソフトウェアのバージョン毎に異なるデータフォーマットの場合にも当然に本発明の技術的思想を適用可能である。
【図面の簡単な説明】
【００２３】
【図１】本発明の実施形態に係る昇降機における稼働・診断データの収集・管理装置の全体構成を示すブロック図である。
【図２】診断端末Ｔ１，Ｔ２から取得されるデータフォーマットの一例を示す図である。
【図３】診断端末からの稼働・診断データＤＣ１，ＤＣ２を登録するための定義情報の一例を示す図である。
【符号の説明】
【００２４】
Ｆ１  データ収集・管理装置から外部装置への伝送ファイル
ＩＰ  データ解析・格納処理部
ＯＰ  データ出力処理部
ＤＢ  昇降機の稼動・診断データを格納するデータベース
Ｍ１  診断端末の機種と定義情報Ｉ１，Ｉ２，Ｉｎの関連付けを格納する管理情報
ＩＡ  定義ファイル上のデータ登録有無の情報
ＩＬ  定義ファイル上のデータの長さの定義
ＩＦ  定義ファイル上のデータの形式の定義
ＩＤ  定義ファイル上のデータのデータベース上の格納先の定義
ＩＳ  定義ファイル上のデータの変換処理の定義
ＤＣ１，ＤＣ２  Ｔ１，Ｔ２から得られるデータの一例
ＤＥＦ１，ＤＥＦ２  機種別の定義情報
Ｓ１  データ収集・管理装置
Ｔ１，Ｔ２，Ｔｎ  昇降機の遠隔診断端末
Ｉ１，Ｉ２，Ｉｎ  端末Ｔ１，Ｔ２，Ｔｎに対応する定義情報
Ｏ１，Ｏ２，Ｏｎ  データベースからファイル出力を行う際の機種別定義情報
ＤＣ１，ＤＣ２，ＤＣｎ  昇降機の稼動・診断データ
ＤＢ１，ＤＢ２，ＤＢ３，ＤＢｎ  データベースの格納位置
ＤＮ１，ＤＮ２，ＤＮ３，ＤＮ４，ＤＮｎ  データ項目の種類
【図１】
2005231850.tif 000003
【図２】
2005231850.tif 000004
【図３】
2005231850.tif 000005